(57)【要約】【課題】裏写りにより特殊原稿判定処理が誤判定されるのを改善し、特殊原稿判定処理の精度を向上させることができる画像処理装置を提供する。【解決手段】紙の両面に印刷された原稿の片面をデジタル入力して得られるデジタル原画像に対して、エッジ強度検出とカラー閾値処理に基づいて裏写り成分を除去する裏写り成分除去処理手段２と、その裏写り成分を除去した画像データを使用して特殊原稿判定処理を行う特殊原稿判定処理手段３を備えた画像処理装置。【選択図】      図１
2004214720.tif 000002
【特許請求の範囲】
【請求項１】
紙の両面に印刷された原稿の片面をデジタル入力して得られるデジタル原画像に対して、エッジ強度検出とカラー閾値処理に基づいて裏写り成分を除去する裏写り成分除去処理手段と、その裏写り成分を除去した画像データを使用して特殊原稿判定処理を行う特殊原稿判定処理手段と、を備えたことを特徴とする画像処理装置。
【請求項２】
請求項１に記載の画像処理装置において、ユーザが裏写り除去処理の可否について事前に選択できる機能を有することを特徴とする画像処理装置。
【請求項３】
請求項１に記載の画像処理装置において、ユーザが裏写り除去処理の強度について事前に選択できる機能を有することを特徴とする画像処理装置。
【発明の詳細な説明】
【０００１】
【発明の属する技術分野】
本発明は、画像処理装置に関し、特に特殊原稿判別処理技術に関するものである。
【０００２】
【従来の技術】
近年、画像処理技術、画像形成技術の向上によって、カラー複写機で複写したコピー紙幣と実際の紙幣とが容易に区別できないほど精巧に複写コピーが行えるようになっている。このため、紙幣、有価証券等の特殊原稿を判別し、特殊原稿の場合に違法複写を禁止するようにした装置が開発されており、複写機に特殊原稿を判別する装置を搭載した特殊原稿判別機能付き複写機も提供されている。
特殊原稿を判別する装置としては、地肌エッジを検出し、そのエッジ情報を元に特殊原稿判定を行うもの（例えば、特許文献１参照）や、朱印領域を抽出し、朱印領域に対してパターンマッチング等して特殊原稿判定を行うもの（例えば、特許文献２参照）などがある。
【特許文献１】特開平６−６２２３５号公報
【特許文献２】特開平６−７０１５５号公報
【０００３】
【発明が解決しようとする課題】
このように従来から、入力した画像データと予め登録されているパターンデータに基づいてパターンマッチングを行うことにより、特殊原稿判定を行う方法が様々に提案されている。
しかしながら、裏写りの影響によって、特殊原稿判定処理が誤判定されてしまう場合がある。例えば、裏面に特殊原稿パターンがあるが、表面にはない場合、裏写りによって表面も特殊原稿パターンだと誤判定されてしまう場合がある。また、表面に特殊原稿パターンがあるにも関わらず、裏写りによって特殊原稿と認識されない場合も発生してしまう。
本発明は、裏写りにより特殊原稿判定処理が誤判定されるのを改善し、特殊原稿判定処理の精度を向上させることができる画像処理装置を提供することを目的とする。
【０００４】
【課題を解決するための手段】
上記目的を達成するために、請求項１記載の発明は、紙の両面に印刷された原稿の片面をデジタル入力して得られるデジタル原画像に対して、エッジ強度検出とカラー閾値処理に基づいて裏写り成分を除去する裏写り成分除去処理手段と、その裏写り成分を除去した画像データを使用して特殊原稿判定処理を行う特殊原稿判定処理手段を備えた画像処理装置を最も主要な特徴とする。
請求項２記載の発明は、請求項１に記載の画像処理装置において、ユーザが裏写り除去処理の可否について事前に選択できる機能を有する画像処理装置を主要な特徴とする。
請求項３記載の発明は、請求項１に記載の画像処理装置において、ユーザが裏写り除去処理の強度について事前に選択できる機能を有する画像処理装置を主要な特徴とする。
【０００５】
【発明の実施の形態】
以下、図面により本発明の実施の形態を詳細に説明する。図１は本発明の実施の形態に係る画像処理装置の機能ブロック図である。本画像処理装置は、スキャナ１、裏写り成分除去処理部２、特殊原稿判定処理部３、特殊原稿処理部４、プリンタ５を備えている。
図２は図１に示す特殊原稿判定処理部の機能ブロック図である。特殊原稿判定処理部３は、地肌エッジ検出部１１、地肌エッジ長判断部１２、位置検出部１３、判別処理部１４、地肌エッジ長データ記憶部１５、特殊原稿パターンを記憶する記憶部１６を備える。
図３は本発明の画像処理の流れを示すフローチャートである。最初に、スキャナ１で読み取った画像データに対し、裏写り成分除去処理部２により裏写り成分除去処理を行う（Ｓ２１）。そして、裏写り成分を除去したその画像データに対して、特殊原稿判定処理部３により特殊原稿判定処理を行う（Ｓ２２）。
図４は図３に示す裏写り成分除去処理手順を示すフローチャートである。スキャナ１によりカラー画像入力を行い(Ｓ１)、入力カラー画像の解像度を縮小し（Ｓ２）、カラー座標系を独立性が高いものに変換する（Ｓ３）。エッジ強度計算を行い（Ｓ４）、二値化処理によりエッジを検出し（Ｓ５）、エッジ以外の領域に対してカラー閾値処理を行って背景色画像を推定し（Ｓ６）、裏写り除去画像を合成する（Ｓ７）。
原画像と裏写り除去画像のエッジ強度からエッジ差分画像を生成し（Ｓ８、Ｓ９）、不適切な処理により画像が劣化している個所を検出する。その個所の周囲で処理スケール（ウインドウサイズ）を縮小して処理を再度実行する（S１０、Ｓ１１、Ｓ１２）。裏写り除去画像と縮小原画像の差分計算により裏写り部分を同定し（Ｓ１３）、元の解像度の原画像での裏写り部分の除去を行う（Ｓ１４）。
【０００６】
図３に示す特殊原稿判定処理（Ｓ２２）について図２に基づき説明する。最初に地肌エッジ検出部１１により地肌エッジを検出し、この地肌エッジと、地肌エッジ長データ記憶部１５に記憶された特殊原稿特有の地肌エッジの長さデータとを地肌エッジ長判断部１２により比較判断する。そして位置検出部１３により位置検出し、予め記憶部１６に登録されたパターンと画像データを比較して、判別処理部１４により特殊原稿判定を行う。
また、既述の特開平６−７０１５５号公報に記載されているように、朱印領域を抽出し、そのデータからパターンマッチングを行い、特殊原稿判定を行う手法でもよい。
本実施形態では、このように特殊原稿判定処理を行う前に裏写り成分を除去することにより、裏写りによる特殊原稿判定処理の誤判定を減少させることができる。
【０００７】
また、図３の裏写り成分除去処理（Ｓ２１）において、ユーザが事前にその除去処理の有無について選択できる機能を採用してもよい。その場合は、使用する原稿の紙質、厚さ、種類によって裏写りする原稿なのか、そうでないのかにより、その原稿に適した処理方法を選択することができるため、精度のよい特殊原稿判定処理を行うことができる。
例えば、カラー複写機においては、コピースタートする前に、裏写りする原稿なのか、もしくはしない原稿なのか、選択できるような画面が操作部に表示され、ユーザがその有無を選択できるようになっている。画像処理装置では、そのユーザの選択結果を使用して、図３における裏写り成分除去処理（Ｓ２１）を行うか否かを決定する。
また、図３の裏写り成分除去処理（Ｓ２１）において、ユーザが事前にその除去処理の強度について選択できる機能を採用してもよい。その場合は、使用する原稿の紙質、厚さ、種類によって裏写りしやすい原稿なのか、そうでないのかにより、その原稿に適した処理方法を選択することができるため、精度のよい特殊原稿判定処理を行うことができる。
例えば、カラー複写機においては、コピースタートする前に、原稿の裏写りの程度を選択できるような画面が操作部に表示され、ユーザが原稿の裏写りの程度を選択できるようになっている。画像処理装置では、そのユーザの選択結果を使用して、図３における裏写り成分除去処理（Ｓ２１）を行うことになる。
【０００８】
【発明の効果】
以上説明したように、請求項１の画像処理装置においては、裏写り成分を除去した画像を使用して特殊原稿判定処理を行うことにより、裏写りの影響を受けることなく精度のよい特殊原稿判定処理を行うことができる。
請求項２の画像処理装置においては、ユーザが特殊原稿判定処理前の裏写り成分除去処理についてその有無を指定することができることによって、その原稿に適した精度のよい特殊原稿判定処理を行うことができる。
請求項３の画像処理装置においては、ユーザが特殊原稿判定処理前の裏写り成分除去処理についてその強度を指定することができることによって、その原稿に適した精度のよい特殊原稿判定処理を行うことができる。
【図面の簡単な説明】
【図１】本発明の実施の形態に係る画像処理装置の機能ブロック図である。
【図２】図１に示す特殊原稿判定処理部の機能ブロック図である。
【図３】本発明の画像処理の流れを示すフローチャートである。
【図４】図３に示す裏写り成分除去処理手順を示すフローチャートである。
【符号の説明】
１  スキャナ
２  裏写り成分除去処理部(裏写り成分除去処理手段)
３  特殊原稿判定処理部(特殊原稿判定処理手段)
４  特殊原稿処理部
５  プリンタ
【図１】
2004214720.tif 000003
【図２】
2004214720.tif 000004
【図３】
2004214720.tif 000005
【図４】
2004214720.tif 000006